(57)【要約】      （修正有）【課題】アスファルト保護層のクラックを防止し、かつ、ヒーティングケーブルの損傷を防ぐ融雪道路の施工方法を提供する。【解決手段】アスファルト下地２を打設した直後に、ロードヒーティング部材Hを上記アスファルト下地２上に敷設して、上記アスファルト下地２が冷却前の柔らかい状態下にてローラ３によって転圧して埋め込み、上記ロードヒーティング部材Hを埋め込んだアスファルト下地２の表面2Aに、舗装作業車両のタイヤ走行部に沿って、ゴムアスファルト系帯状シートを敷設し、上記系帯状シート以外の上記表面2Aに乳剤を散布して、その上にアスファルト保護層を敷設する。【選択図】図７
2011047227.tif 000002
【特許請求の範囲】
【請求項１】
アスファルト下地（２）を打設した直後に、ロードヒーティング部材（Ｈ）を上記アスファルト下地（２）上に敷設して、上記アスファルト下地（２）が冷却前の柔らかい状態下にて、ローラ（３）によって転圧することで上記ロードヒーティング部材（Ｈ）を上記アスファルト下地（２）へ圧入状に埋め込み、その後、アスファルト保護層（４）を敷設することを特徴とする融雪道路の施工方法。
【請求項２】
アスファルト下地（２）を打設した直後に、ロードヒーティング部材（Ｈ）を上記アスファルト下地（２）上に敷設して、上記アスファルト下地（２）が冷却前の柔らかい状態下にて、ローラ（３）によって転圧することで上記ロードヒーティング部材（Ｈ）を上記アスファルト下地（２）へ圧入状に埋め込み、上記ロードヒーティング部材（Ｈ）を埋め込んだアスファルト下地（２）の表面（２Ａ）に、舗装作業車両のタイヤ走行予定部（Ｚ）（Ｚ）に沿って、ゴムアスファルト系帯状シート（６）（６）を敷設し、該帯状シート（６）（６）以外の上記表面（２Ａ）に乳剤を散布して後、上記帯状シート（６）（６）上を走行する上記舗装作業車両にて、アスファルト保護層（４）を敷設することを特徴とする融雪道路の施工方法。
【発明の詳細な説明】
【技術分野】
【０００１】
本発明は、融雪道路の施工方法に関する。
【背景技術】
【０００２】
融雪道路の施工に於て、ロードヒーティング部材を道路に埋設する必要があり、例えば、ロードヒーティング部材が加熱温水用パイプである場合には、路盤上に金網を敷設し、この金網上にプラスチック製の加熱用パイプを固定し、次に、このパイプを埋め込む深さにアスファルトを敷き均し、さらに上層アスファルトを敷設する方法が知られている（例えば、特許文献１参照）。
【０００３】
しかしながら、ロードヒーティング部材がヒーティングケーブルである場合には、図12に示すような融雪道路Ｕの構造が一般的であって、その工法は、砕石又はコンクリートの路盤31上に、まず、アスファルト下地32を敷設して、固化した平坦面状の下地表面32Ａに、ヒーティングケーブル33を敷いて、その上からアスファルト保護層34を敷設して、ケーブル33を保護層34の下面近傍位置に埋設していた。なお、表層35を、さらに、上から敷設するのが一般的である。
【先行技術文献】
【特許文献】
【０００４】
【特許文献１】特許第２８５２９８０号公報
【発明の概要】
【発明が解決しようとする課題】
【０００５】
上述の従来の施工方法と問題点を、図13，図14及び図15に基づいて説明すれば、従来の図12に示すような融雪道路Ｕの施工方法に於て、（図13に示す如く、）路盤31上に敷設して固化したアスファルト下地32の平坦状表面32Ａ上に、ヒーティングケーブル33を敷設した後、ダンプトラック、及び、フィニッシャ，ローラ等の車両と舗装機械によって、保護層34を敷設していた（図14参照）。
【０００６】
上述の保護層34のアスファルト打設作業時（敷設時）にあっては、図13のように、転圧・冷却して固くなった下地表面32Ａ上にヒーティングケーブル33が露出した状態で存在するため、（機械引き舗装における）ダンプトラックやフィニッシャが、その上を踏みつつ走行して、露出したヒーティングケーブル33に損傷を与える虞があった。
さらに、図14に於て、同図中（イ）（ロ）（ハ）は時間が順に経過した状況を説明する図であって、まず、図14（イ）に示すように、保護層34を例えば、10TON 以上の大型のローラによって、大きな圧力Ｐを付与しつつ転圧するが、その際、ヒーティングケーブル33は弾性を有するため、横断面が楕円偏平状に弾性圧縮変形する。
【０００７】
図14（イ）から（ロ）に示すように、その後、弾性圧縮変形したヒーティングケーブル33は、その弾性的反発力によって、矢印Ｆ33の方向に、アスファルト保護層34を局部的に押し上げるので、ついには、図14（ハ）及び図15に示すように表面34Ａに達するようなクラック（亀裂）36が発生するという問題があった。舗装品質が重要視される車道に於ては、このようなクラック36を発生することは、特に重大な問題となる。
【０００８】
そこで、本発明は、このような従来の問題点を解決して、ロードヒーティング部材の損傷の危険性を低減し、さらに、クラックの発生を防止して、舗装品質を著しく改善・向上し、かつ、作業能率がほとんど変わらずに済む融雪道路の施工方法を提供することを、目的とする。
【課題を解決するための手段】
【０００９】
そこで、本発明に係る融雪道路の施工方法は、アスファルト下地を打設した直後に、ロードヒーティング部材を上記アスファルト下地上に敷設して、上記アスファルト下地が冷却前の柔らかい状態下にて、ローラによって転圧することで上記ロードヒーティング部材を上記アスファルト下地へ圧入状に埋め込み、その後、アスファルト保護層を敷設する方法である。
また、本発明は、アスファルト下地を打設した直後に、ロードヒーティング部材を上記アスファルト下地上に敷設して、上記アスファルト下地が冷却前の柔らかい状態下にて、ローラによって転圧することで上記ロードヒーティング部材を上記アスファルト下地へ圧入状に埋め込み、上記ロードヒーティング部材を埋め込んだアスファルト下地の表面に、舗装作業車両のタイヤ走行予定部に沿って、ゴムアスファルト系帯状シートを敷設し、該帯状シート以外の上記表面に乳剤を散布して後、上記帯状シート上を走行する上記舗装作業車両にて、アスファルト保護層を敷設する方法である。
【発明の効果】
【００１０】
本発明によれば、アスファルト保護層のクラックの発生を防ぎ、舗装品質を著しく改善・向上できる。
また、舗装機械（舗装作業車両）によって、ロードヒーティング部材が損傷を受けることを確実に防ぐことができる。
しかも、舗装作業能率を低下させることなく、前述の著大な効果を奏する。
【図面の簡単な説明】
【００１１】
【図１】本発明に使用可能なロードヒーティングケーブルの一例を示す断面図である。
【図２】本発明に使用可能なロードヒーティングユニットの一例を示す平面図である。
【図３】ロードヒーティングユニット（ロードヒーティング部材）の敷設配置の説明平面図である。
【図４】本発明に係る施工方法によって得られる舗装部位の一例を示す断面図である。
【図５】本発明に係る施工方法の実施の一形態を説明するための断面図である。
【図６】本発明に係る施工方法の実施の一形態を説明するための断面図である。
【図７】本発明に係る施工方法の実施の一形態を説明するための断面図である。
【図８】本発明に係る施工方法の実施の一形態を説明するための断面図である。
【図９】本発明の作用効果の説明を兼ねた本発明の要部構成の説明用の断面図である。
【図１０】ゴムアスファルト系帯状シートを用いた本発明の他の実施の形態を示す平面図である。
【図１１】図10のＣ−Ｃ断面図である。
【図１２】従来例を示す断面図である。
【図１３】従来例の施工方法の説明図である。
【図１４】従来例の問題点を説明するための要部断面図である。
【図１５】従来例の問題点を説明する図である。
【発明を実施するための形態】
【００１２】
以下、図示の実施の形態に基づき本発明を詳説する。
図５に示すように、砕石又はコンクリート等の路盤１上に、一層目のアスファルト―――即ち、アスファルト下地２―――を打設し、次に、図６に示すように、上記アスファルト下地２を打設した直後に、ロードヒーティング部材Ｈをアスファルト下地２の表面２Ａに敷設する。つまり、アスファルト下地２は打設直後であって、アスファルトが完全に冷却する前の柔らかい状態下にて、ヒーティング部材Ｈを敷き並べる。
【００１３】
次に、上記の柔らかい状態下にて、舗装用ローラ３によって、図７に示す如く転圧すると、転圧力Ｐ3 を受けて、ロードヒーティング部材Ｈは、下地表面２Ａからアスファルト下地２に（圧入状に）埋め込まれてゆく。図７では矢印Ｒ3 方向に回動しつつローラ３が矢印Ａ3 方向に移動して、柔らかいアスファルト下地２へ、順次、同図の左から右方向にロードヒーティング部材Ｈが埋め込まれてゆく。即ち、図８はこのようにロードヒーティング部材Ｈが埋め込まれて、下地表面２Ａと同一水平面上に、ロードヒーティング部材Ｈの上端が存在する。
【００１４】
その後、図９に示すように、アスファルト保護層４を打設形成（敷設）する。ところで、図９に示すように、２層目のアスファルト層としての上記アスファルト保護層４を敷設する際に、ダンプトラックやフィニッシャ等の舗装作業車両が、図８に於て、冷却固化した下地表面２Ａ上を走行したとしても、ロードヒーティング部材Ｈは下地表面２Ａから突出しておらず、ロードヒーティング部材Ｈが損傷を受けたり、異常変形を受けることが全くない。しかも、図９（Ａ）に示すように、保護層４の敷設のために、大型のローラ等によって大きな圧力Ｐが付与されつつ転圧されるが、その際、前工程に於て、アスファルト下地２内に埋設状態となっているロードヒーティング部材Ｈは、直接的に前記圧力Ｐを受けずに済み、横断面が、従来の図14（イ）のように楕円偏平状に変形することを、防止できる。このように、図９（Ａ）に示すように、ロードヒーティング部材Ｈの横断面が転圧の圧力Ｐを受けて変形することがない。
その後、図４に示すように、表層５をその上から被覆敷設することで、融雪道路Ｕが完成する。
【００１５】
上述のように、アスファルト下地２内に、アスファルト打設直後の柔らかさを利用して、ロードヒーティング部材Ｈを埋め込んでしまうことにより、その上に（２層目の）アスファルト保護層４を敷設する作業にて、ヒーティング部材Ｈの圧縮変形を大幅に減少でき、その後、図14（ロ）（ハ）と図15にて述べた従来例のクラック36の発生を避けることができ、また、舗装作業車両によってヒーティング部材Ｈが傷付けられる危険性も大幅に低減される。
なお、本発明に於て、ヒーティング部材Ｈとしては、（以下説明する図１〜図３の）ヒーティングケーブル10以外に、温水や地下水を循環させるパイプ（温水式ロードヒーティング用パイプ）であっても良い。
【００１６】
図１に、ヒーティングケーブル10の具体的断面図を例示する。断面中央部に発熱導体（抵抗線）11を有し、その外側を順次、絶縁体12、縦溝付シース13、保護シース14にて被覆された構造を例示する。なお、ヒーティングケーブル10としては、これ以外の構造のものとするも自由である。
図２に示すように、工場等にて予めヒーティングケーブル10を所定敷設ピッチＰ10にて蛇行させて、ガットテープ15にて保持し、かつ、接続部16を介してリードケーブル17, 17とヒーティングケーブル10とを接続した矩形平面状ヒーティングユニット20を製作しておき、施工現場に於ては、図３に示す如く、このようなヒーティングユニット20を次々と並べて敷き詰めてゆく。
【００１７】
次に、図10と図11は他の実施の形態を示す。即ち、前述の実施の形態に於て、図５，図６，図７，図８と順次説明した如く、アスファルト下地２を打設した直後に、ロードヒーティング部材Ｈを上記アスファルト下地２上に敷設して、上記アスファルト下地２が冷却前の柔らかい状態下にて、ローラ３によって転圧することで上記ロードヒーティング部材Ｈを上記アスファルト下地２へ圧入状に埋め込む。次に、ロードヒーティング部材Ｈ（ヒーティングケーブル10）を埋め込んだアスファルト下地２の表面２Ａに、舗装作業車両のタイヤ走行予定部Ｚ，Ｚ（図10の平面図に於て斜線にて示す）に沿って、ゴムアスファルト系帯状シート６，６を敷設する。そして、帯状シート６，６以外に相当する表面２Ａには乳剤を散布し、次に、この帯状シート６，６上を走行する舗装作業車両にて、アスファルト保護層４を、その上から、敷設する。
【００１８】
この乳剤は、上下層の接着力強化、及び、クラック防止や防水の作用をなすものであるが、粘着性があるため、舗装作業車両が走行すると、タイヤに乳剤が付着して、その粘着性によって、一旦埋め込んだヒーティング部材Ｈ（ヒーティングケーブル10）が、タイヤの回転に伴って引きずり出される虞がある。しかし、本発明では、タイヤ走行予定部Ｚ，Ｚに、予めゴムアスファルト系帯状シート６，６を敷設し、かつ、乳剤を省略してあるため、タイヤの回転に伴って、一旦埋め込まれているヒーティング部材Ｈ（ヒーティングケーブル10）が引きずりだされることがない。なお、上記ゴムアスファルト系帯状シート６は、クラック防止や防水に一般に用いられる公知のものを使用できる。
なお、本発明に於て、アスファルト下地２が柔らかい状態下にて、ローラ３の転圧によってアスファルト下地２へ圧入状にロードヒーティング部材Ｈを埋め込むが、その際に、図２に例示したようなヒーティングユニット20のリードケーブル17も同様にローラ３の転圧にて埋め込んで良い。また、接続部16については、舗装内に別途スペースを予め設けて、そのスペース内へ設置し、その後、アスファルト上層を敷くのが良い。
【００１９】
また、本発明に於て、融雪道路Ｕとは、凍結防止道路をも包含しているものとする。本発明は、いわゆる機械引きロードヒーティングの工法に関連した発明であって、舗装機械を用いず人力による舗装（いわゆる手引き舗装）では問題がなかったが、作業能率向上のために、機械引きロードヒーティングの工法を適用すれば、既述のヒーティングケーブル33の損傷の問題、及び、クラック36の発生の問題（図14，図15参照）が発生する。このような問題を本発明は、作業能率を低下させずに解決したものであるといえる。さらに、舗装厚さも従来のままで済む利点もある。
【００２０】
また、本発明に於て、アスファルト下地２が冷却前の柔らかい状態とは、 100℃〜 190℃を指し、 120℃〜 170℃が好ましく、 140℃〜 165℃が最も望ましい。そして、ローラ３で転圧してヒーティング部材Ｈがアスファルト下地２へ圧入しやすいように、通常よりも低い温度でも転圧可能な舗装材質、または添加剤を選択することも、有効な手段である。
【００２１】
本発明は、上述のように、アスファルト下地２を打設した直後に、ロードヒーティング部材Ｈを上記アスファルト下地２上に敷設して、上記アスファルト下地２が冷却前の柔らかい状態下にて、ローラ３によって転圧することで上記ロードヒーティング部材Ｈを上記アスファルト下地２へ圧入状に埋め込み、その後、アスファルト保護層４を敷設する施工方法であるので、ロードヒーティング部材Ｈがアスファルト保護層４の内部乃至下方位置にて圧縮変形を生ずることがほとんどなくなり、図14にて述べた従来のクラック36の発生を有効防止して、舗装性能（品質）が向上でき、舗装寿命も延びる。さらに、機械引きロードヒーティングにおけるロードヒーティング部材Ｈの損傷の危険性が著しく低減できる。
【００２２】
また、本発明は、上記ロードヒーティング部材Ｈを埋め込んだアスファルト下地２の表面２Ａに、舗装作業車両のタイヤ走行予定部Ｚ，Ｚに沿って、ゴムアスファルト系帯状シート６，６を敷設し、該帯状シート６，６以外の上記表面２Ａに乳剤を散布して後、上記帯状シート６，６上を走行する上記舗装作業車両にて、アスファルト保護層４を敷設する方法であるので、舗装作業車両のタイヤ表面と、埋め込まれたヒーティング部材Ｈとは、直接に接触せず、しかも、タイヤ表面に乳剤が付着せず、一旦埋め込まれたヒーティング部材Ｈが引きずり出される虞がなくなって、ヒーティング部材Ｈの損傷事故を防止できる。
【符号の説明】
【００２３】
１  路盤
２  アスファルト下地
２Ａ  表面
３  ローラ
４  アスファルト保護層
６  ゴムアスファルト系帯状シート
10  ヒーティングケーブル
Ｈ  ロードヒーティング部材
Ｕ  融雪道路
【図１】
2011047227.tif 000003
【図２】
2011047227.tif 000004
【図３】
2011047227.tif 000005
【図４】
2011047227.tif 000006
【図５】
2011047227.tif 000007
【図６】
2011047227.tif 000008
【図７】
2011047227.tif 000009
【図８】
2011047227.tif 000010
【図９】
2011047227.tif 000011
【図１０】
2011047227.tif 000012
【図１１】
2011047227.tif 000013
【図１２】
2011047227.tif 000014
【図１３】
2011047227.tif 000015
【図１４】
2011047227.tif 000016
【図１５】
2011047227.tif 000017